【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
所定の始動条件の成立を検出する検出手段と、その検出手段によって前記始動条件の成立が検出された場合にランダムな情報を取得する取得手段と、その取得手段により取得された情報に基づいて識別情報の動的表示のパターンに対応する第１の演出情報を選定して出力する主制御手段と、その主制御手段から出力される前記第１の演出情報に基づいて前記識別情報の動的表示を実行する変動実行手段を有する副制御手段とを備え、前記変動実行手段により実行される前記識別情報の動的表示において予め定めた識別情報の組み合わせが現出される場合に、遊技者に所定の遊技価値を付与する遊技機において、
前記主制御手段は、
前記始動条件の成立が検出された場合に、少なくとも前記取得手段で取得した前記情報を所定の上限数まで記憶可能な記憶手段と、
定期的に成立する所定条件に基づいて実行される特定処理手段と、を備え、
その特定処理手段は、
前記第１の演出情報に対応する前記識別情報の動的表示を開始する場合に、その識別情報の動的表示に対応して記憶された前記情報を判定する判定手段と、
前記検出手段によって前記始動条件の成立が検出された場合に、前記取得手段によって取得され記憶された前記情報を判断する第１判断手段と、を備え、
前記主制御手段は、
一のタイミングで実行される特定処理手段における前記判定手段の実行を示す実行情報を設定する実行情報設定手段を備え、
前記一のタイミングで実行される特定処理手段において前記判定手段の実行を示す前記実行情報が設定されている場合は、その一のタイミングで実行される特定処理手段において、前記第１判断手段が全ての処理を実行した場合にかかる処理時間よりも短い処理時間で全ての処理を実行可能な第２判断手段を実行し、
前記主制御手段は、
前記第１判断手段又は前記第２判断手段を実行した場合に、第２の演出情報を出力可能であり、
前記副制御手段は、
前記記憶手段に所定回数分の前記情報が記憶されている状態において前記主制御手段から前記第２の演出情報を受信した場合に、前記記憶手段に記憶された前記所定回数分の前記情報に対応した前記識別情報の動的表示において、特定演出を実行可能であることを特徴とする遊技機。
【請求項２】
前記判定手段と、前記第１判断手段と、前記第２判断手段は、前記情報が予め記憶された参照用情報と一致するか否かを複数の参照用情報と比較するものであることを特徴とする請求項１に記載の遊技機。
【請求項３】
所定の始動条件の成立を検出する検出手段と、その検出手段によって前記始動条件の成立が検出された場合にランダムな情報を取得する取得手段と、その取得手段により取得された情報に基づいて識別情報の動的表示のパターンに対応する第１の演出情報を選定して出力する主制御手段と、その主制御手段から出力される前記第１の演出情報に基づいて前記識別情報の動的表示を実行する変動実行手段を有する副制御手段とを備え、前記変動実行手段により実行される前記識別情報の動的表示において予め定めた識別情報の組み合わせが現出される場合に、遊技者に所定の遊技価値を付与する遊技機において、
前記主制御手段は、
前記始動条件の成立が検出された場合に、少なくとも前記取得手段で取得した前記情報を所定の上限数まで記憶可能な記憶手段と、
定期的に成立する所定条件に基づいて実行される特定処理手段と、を備え、
その特定処理手段は、
前記第１の演出情報に対応する前記識別情報の動的表示を開始する場合に、その識別情報の動的表示に対応して記憶された前記情報を判定する判定手段と、
前記検出手段によって前記始動条件の成立が検出された場合に、前記取得手段によって取得され記憶された前記情報を判断する第１判断手段と、を備え、
前記主制御手段は、
一のタイミングで実行される特定処理手段における前記判定手段の実行を示す実行情報を設定する実行情報設定手段を備え、
前記一のタイミングで実行される特定処理手段において前記判定手段の実行を示す前記実行情報が設定されている場合は、その一のタイミングで実行される特定処理手段において前記第１判断手段を非実行とし、
前記主制御手段は、
前記第１判断手段を実行した場合に、第２の演出情報を出力可能であり、
前記副制御手段は、
前記記憶手段に所定回数分の前記情報が記憶されている状態において前記主制御手段から前記第２の演出情報を受信した場合に、前記記憶手段に記憶された前記所定回数分の前記情報に対応した前記識別情報の動的表示において、特定演出を実行可能であることを特徴とする遊技機。
【請求項４】
前記主制御手段は、
前記一のタイミングで実行される特定処理手段において、前記判定手段の実行を示す前記実行情報が設定されていたことに起因して前記第１判断手段を非実行とした場合は、その第１判断手段の非実行を示す非実行情報を設定する非実行情報設定手段を備え、
前記一のタイミングより後のタイミングで実行される特定処理手段において、前記第１判断手段の非実行を示す前記非実行情報が設定されている場合は、該後のタイミングで実行される特定処理手段において、前記第１判断手段を実行することを特徴とする請求項３記載の遊技機。
【手続補正２】
【補正対象書類名】明細書
【補正対象項目名】０００３
【補正方法】変更
【補正の内容】
【０００３】
また、図柄等のスクロール中には、時として通常時よりも高確率で遊技者にとって有利な遊技状態（例えば、大当たり）となることを事前に示唆する興趣演出（例えば、リーチ表示による演出等）が行われて、有利な遊技に対する期待感を遊技者に持たせる工夫もなされている。リーチ表示による演出は、例えば、スクロール中の３列の図柄列のうち左右２列の図柄列を所定の図柄で停止させ、その後、中１列の図柄列を低速にスクロールさせることで、遊技者に対して、予め定められた組み合わせの停止図柄で停止する期待感を持たせる演出である。このリーチ表示による演出は、遊技者により高い期待感を持たせるために、通常の変動演出（リーチ表示を行わない変動演出）よりも長い時間行われる。
【手続補正３】
【補正対象書類名】明細書
【補正対象項目名】０００４
【補正方法】変更
【補正の内容】
【０００４】
【特許文献１】実開平７−２４３８３号公報
【手続補正４】
【補正対象書類名】明細書
【補正対象項目名】０００５
【補正方法】変更
【補正の内容】
【０００５】
しかしながら、従来の遊技機では、所定の興趣演出実行の判定を行うことによって主制御装置の当りの判定処理に係る負荷が増大する恐れがあった。
【手続補正５】
【補正対象書類名】明細書
【補正対象項目名】０００６
【補正方法】変更
【補正の内容】
【０００６】
本発明は、上記例示した問題点等を解決するためになされたものであり、所定の興趣演出実行の判定を行った場合でも、主制御装置の当りの判定処理を好適に実行することができる遊技機を提供することを目的としている。
【手続補正６】
【補正対象書類名】明細書
【補正対象項目名】０００７
【補正方法】変更
【補正の内容】
【０００７】
この目的を達成するために請求項１記載の遊技機は、所定の始動条件の成立を検出する検出手段と、その検出手段によって前記始動条件の成立が検出された場合にランダムな情報を取得する取得手段と、その取得手段により取得された情報に基づいて識別情報の動的表示のパターンに対応する第１の演出情報を選定して出力する主制御手段と、その主制御手段から出力される前記第１の演出情報に基づいて前記識別情報の動的表示を実行する変動実行手段を有する副制御手段とを備え、前記変動実行手段により実行される前記識別情報の動的表示において予め定めた識別情報の組み合わせが現出される場合に、遊技者に所定の遊技価値を付与するものであって、前記主制御手段は、前記始動条件の成立が検出された場合に、少なくとも前記取得手段で取得した前記情報を所定の上限数まで記憶可能な記憶手段と、定期的に成立する所定条件に基づいて実行される特定処理手段と、を備え、その特定処理手段は、前記第１の演出情報に対応する前記識別情報の動的表示を開始する場合に、その識別情報の動的表示に対応して記憶された前記情報を判定する判定手段と、前記検出手段によって前記始動条件の成立が検出された場合に、前記取得手段によって取得され記憶された前記情報を判断する第１判断手段と、を備え、前記主制御手段は、一のタイミングで実行される特定処理手段における前記判定手段の実行を示す実行情報を設定する実行情報設定手段を備え、前記一のタイミングで実行される特定処理手段において前記判定手段の実行を示す前記実行情報が設定されている場合は、その一のタイミングで実行される特定処理手段において、前記第１判断手段が全ての処理を実行した場合にかかる処理時間よりも短い処理時間で全ての処理を実行可能な第２判断手段を実行し、前記主制御手段は、前記第１判断手段又は前記第２判断手段を実行した場合に、第２の演出情報を出力可能であり、前記副制御手段は、前記記憶手段に所定回数分の前記情報が記憶されている状態において前記主制御手段から前記第２の演出情報を受信した場合に、前記記憶手段に記憶された前記所定回数分の前記情報に対応した前記識別情報の動的表示において、特定演出を実行可能である。
【手続補正７】
【補正対象書類名】明細書
【補正対象項目名】０００８
【補正方法】変更
【補正の内容】
【０００８】
請求項２記載の遊技機は、請求項１記載の遊技機において、前記判定手段と、前記第１判断手段と、前記第２判断手段は、前記情報が予め記憶された参照用情報と一致するか否かを複数の参照用情報と比較するものである。
【手続補正８】
【補正対象書類名】明細書
【補正対象項目名】０００９
【補正方法】変更
【補正の内容】
【０００９】
請求項３記載の遊技機は、所定の始動条件の成立を検出する検出手段と、その検出手段によって前記始動条件の成立が検出された場合にランダムな情報を取得する取得手段と、その取得手段により取得された情報に基づいて識別情報の動的表示のパターンに対応する第１の演出情報を選定して出力する主制御手段と、その主制御手段から出力される前記第１の演出情報に基づいて前記識別情報の動的表示を実行する変動実行手段を有する副制御手段とを備え、前記変動実行手段により実行される前記識別情報の動的表示において予め定めた識別情報の組み合わせが現出される場合に、遊技者に所定の遊技価値を付与するものであって、前記主制御手段は、前記始動条件の成立が検出された場合に、少なくとも前記取得手段で取得した前記情報を所定の上限数まで記憶可能な記憶手段と、定期的に成立する所定条件に基づいて実行される特定処理手段と、を備え、その特定処理手段は、前記第１の演出情報に対応する前記識別情報の動的表示を開始する場合に、その識別情報の動的表示に対応して記憶された前記情報を判定する判定手段と、前記検出手段によって前記始動条件の成立が検出された場合に、前記取得手段によって取得され記憶された前記情報を判断する第１判断手段と、を備え、前記主制御手段は、一のタイミングで実行される特定処理手段における前記判定手段の実行を示す実行情報を設定する実行情報設定手段を備え、前記一のタイミングで実行される特定処理手段において前記判定手段の実行を示す前記実行情報が設定されている場合は、その一のタイミングで実行される特定処理手段において前記第１判断手段を非実行とし、前記主制御手段は、前記第１判断手段を実行した場合に、第２の演出情報を出力可能であり、前記副制御手段は、前記記憶手段に所定回数分の前記情報が記憶されている状態において前記主制御手段から前記第２の演出情報を受信した場合に、前記記憶手段に記憶された前記所定回数分の前記情報に対応した前記識別情報の動的表示において、特定演出を実行可能である。
【手続補正９】
【補正対象書類名】明細書
【補正対象項目名】００１０
【補正方法】変更
【補正の内容】
【００１０】
請求項４記載の遊技機は、請求項３記載の遊技機において、前記主制御手段は、
前記一のタイミングで実行される特定処理手段において、前記判定手段の実行を示す前記実行情報が設定されていたことに起因して前記第１判断手段を非実行とした場合は、その第１判断手段の非実行を示す非実行情報を設定する非実行情報設定手段を備え、前記一のタイミングより後のタイミングで実行される特定処理手段において、前記第１判断手段の非実行を示す前記非実行情報が設定されている場合は、該後のタイミングで実行される特定処理手段において、前記第１判断手段を実行する。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
請求項１記載の遊技機によれば、所定の始動条件の成立を検出する検出手段と、その検出手段によって前記始動条件の成立が検出された場合にランダムな情報を取得する取得手段と、その取得手段により取得された情報に基づいて識別情報の動的表示のパターンに対応する第１の演出情報を選定して出力する主制御手段と、その主制御手段から出力される前記第１の演出情報に基づいて前記識別情報の動的表示を実行する変動実行手段を有する副制御手段とを備え、前記変動実行手段により実行される前記識別情報の動的表示において予め定めた識別情報の組み合わせが現出される場合に、遊技者に所定の遊技価値を付与するものであって、前記主制御手段は、前記始動条件の成立が検出された場合に、少なくとも前記取得手段で取得した前記情報を所定の上限数まで記憶可能な記憶手段と、定期的に成立する所定条件に基づいて実行される特定処理手段と、を備え、その特定処理手段は、前記第１の演出情報に対応する前記識別情報の動的表示を開始する場合に、その識別情報の動的表示に対応して記憶された前記情報を判定する判定手段と、前記検出手段によって前記始動条件の成立が検出された場合に、前記取得手段によって取得され記憶された前記情報を判断する第１判断手段と、を備え、前記主制御手段は、一のタイミングで実行される特定処理手段における前記判定手段の実行を示す実行情報を設定する実行情報設定手段を備え、前記一のタイミングで実行される特定処理手段において前記判定手段の実行を示す前記実行情報が設定されている場合は、その一のタイミングで実行される特定処理手段において、前記第１判断手段が全ての処理を実行した場合にかかる処理時間よりも短い処理時間で全ての処理を実行可能な第２判断手段を実行し、前記主制御手段は、前記第１判断手段又は前記第２判断手段を実行した場合に、第２の演出情報を出力可能であり、前記副制御手段は、前記記憶手段に所定回数分の前記情報が記憶されている状態において前記主制御手段から前記第２の演出情報を受信した場合に、前記記憶手段に記憶された前記所定回数分の前記情報に対応した前記識別情報の動的表示において、特定演出を実行可能であるので、所定の興趣演出実行の判定を行った場合でも、主制御装置の当りの判定処理を好適に実行することができるという効果がある。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
請求項３記載の遊技機によれば、所定の始動条件の成立を検出する検出手段と、その検出手段によって前記始動条件の成立が検出された場合にランダムな情報を取得する取得手段と、その取得手段により取得された情報に基づいて識別情報の動的表示のパターンに対応する第１の演出情報を選定して出力する主制御手段と、その主制御手段から出力される前記第１の演出情報に基づいて前記識別情報の動的表示を実行する変動実行手段を有する副制御手段とを備え、前記変動実行手段により実行される前記識別情報の動的表示において予め定めた識別情報の組み合わせが現出される場合に、遊技者に所定の遊技価値を付与するものであって、前記主制御手段は、前記始動条件の成立が検出された場合に、少なくとも前記取得手段で取得した前記情報を所定の上限数まで記憶可能な記憶手段と、定期的に成立する所定条件に基づいて実行される特定処理手段と、を備え、その特定処理手段は、前記第１の演出情報に対応する前記識別情報の動的表示を開始する場合に、その識別情報の動的表示に対応して記憶された前記情報を判定する判定手段と、前記検出手段によって前記始動条件の成立が検出された場合に、前記取得手段によって取得され記憶された前記情報を判断する第１判断手段と、を備え、前記主制御手段は、一のタイミングで実行される特定処理手段における前記判定手段の実行を示す実行情報を設定する実行情報設定手段を備え、前記一のタイミングで実行される特定処理手段において前記判定手段の実行を示す前記実行情報が設定されている場合は、その一のタイミングで実行される特定処理手段において前記第１判断手段を非実行とし、前記主制御手段は、前記第１判断手段を実行した場合に、第２の演出情報を出力可能であり、前記副制御手段は、前記記憶手段に所定回数分の前記情報が記憶されている状態において前記主制御手段から前記第２の演出情報を受信した場合に、前記記憶手段に記憶された前記所定回数分の前記情報に対応した前記識別情報の動的表示において、特定演出を実行可能であるので、所定の興趣演出実行の判定を行った場合でも、主制御装置の当りの判定処理を好適に実行することができるという効果がある。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】０５２４
【補正方法】変更
【補正の内容】
【０５２４】
ここで、上記実施形態に記載の「変動パターンコマンド」は、請求項に記載の「第１の演出情報」に対応し、上記実施形態に記載の「連続予告演出」は、請求項に記載の「特定演出」に対応する。また、上記実施形態に記載の「第３図柄」は、請求項に記載の「識別情報」に対応し、上記実施形態に記載の「大当たり」は、請求項に記載の「所定の遊技価値」に対応し、上記実施形態に記載の「保留回数コマンド」及び「連続予告コマンド」は、請求項に記載の「第２の演出情報」に対応する。また、上記実施形態の「タイマ割込処理」は、請求項に記載の「特定処理手段」に対応する。
【手続補正２６】
【補正対象書類名】明細書
【補正対象項目名】０６６７
【補正方法】変更
【補正の内容】
【０６６７】
１０          パチンコ機（遊技機）
１１０        主制御装置（主制御手段）
１１３        音声ランプ制御装置（副制御手段の一部）
１１４        表示制御装置（変動実行手段、副制御手段の一部）
２２３ａ      保留回数カウンタ（記憶手段）
Ｓ２０６      変動開始処理（判定手段）
Ｓ３０２      （実行情報設定手段）
Ｓ４０１      （検出手段）
Ｓ４０４      （取得手段）
Ｓ４０６〜Ｓ４１１    （第１判断手段）
Ｓ４１３      （非実行情報設定手段）